(57)【要約】【課題】  容易な輸送及び設置することが可能な監視用カメラシステムを提供する。【解決手段】  開閉可能な出入扉１８が設けられた輸送用コンテナ１１に監視用カメラブロック１０を収容し、輸送用コンテナ１１に設けられた昇降装置１２で監視用カメラブロック１０を支持し、輸送用コンテナ１１に設けられた昇降装置１２が伸びることによって、監視用カメラブロック１０は、輸送用コンテナ１１に設けられた開閉可能な出入扉１８から輸送用コンテナ１１の外部へ移動し、所望とする監視位置に設置される。【選択図】  図３
2006319675.tif 000002
【特許請求の範囲】
【請求項１】
監視用カメラと、
開閉可能な出入口を設ける上記監視用カメラを収容する箱体と、
上記監視用カメラを上記開閉可能な出入口から上記箱体外部へ移動し、上記監視用カメラを所定の監視位置に固定する上記箱体に設けられる伸縮可能な支持部材とを備えること
を特徴とする監視用カメラシステム。
【請求項２】
映像装置と、
上記映像装置を収納する箱体を備え、
上記映像装置は、上記映像装置を収納する箱体に設けられる外部接続端子と、上記監視用カメラを収容する箱体に設けられる外部接続端子とが、所定の通信回線で接続されることにより、上記監視用カメラで撮像された画像データが上記映像装置を収納する箱体へ送信され、上記画像データを表示すること
を特徴とする請求項１記載の監視用カメラシステム。
【発明の詳細な説明】
【技術分野】
【０００１】
本発明は、監視用カメラシステムに関する。
【背景技術】
【０００２】
従来の監視用カメラシステムは、所定の監視位置に予め設置することで、監視活動を行っている。また、監視活動には、監視用カメラ以外にも、通信や電源供給といった設備が必要であり、所望とする監視位置で、監視活動に必要となる機材は組み立てられる。
【０００３】
【特許文献１】実開平５−８６６８６号公報
【発明の開示】
【発明が解決しようとする課題】
【０００４】
ところで、予め監視位置が特定できない場合、監視用カメラシステムを容易に希望する監視位置に輸送、及び、設置することが必要となる。しかしながら、従来の監視用カメラシステムは、予め所定の監視位置を想定して監視用カメラを含め、監視用カメラ以外の通信や電力供給等の必要な設備を設置することを想定しており、所望とする監視位置でこれら必要となる機材を組み立てるので、容易に監視活動に必要な機材を輸送及び設置することができない。
【０００５】
本発明はこのような従来の実情を鑑みて提案されたものであり、監視活動に必要な機材の容易な輸送、及び、設置が可能な監視用カメラシステムを提供することを目的とする。
【課題を解決するための手段】
【０００６】
本発明に係る監視用カメラシステムは、監視用カメラと、開閉可能な出入口を設ける上記監視用カメラを収容する箱体と、上記監視用カメラを上記開閉可能な出入口から上記箱体外部へ移動し、上記監視用カメラを所定の監視位置に固定する上記箱体に設けられる伸縮可能な支持部材とを備えることを特徴とする。
【発明の効果】
【０００７】
本発明に係る監視用カメラシステムは、輸送時において、監視用カメラが箱体に収容される。
【０００８】
このことにより、本発明に係る監視用カメラシステムは、容易に輸送することができる。
【０００９】
また、監視用カメラは、輸送時に箱体に収容されているが、監視活動時に箱体に設けられた伸縮可能な部材が伸びることによって、箱体内部から箱体外部へ移動する。
【００１０】
このことにより、監視位置において、監視活動に必要な機材を組み立てなくてもよく、監視用カメラを容易に所望とする監視位置に設置することができる。
【発明を実施するための最良の形態】
【００１１】
以下、本発明を適用した監視用カメラシステム１について、図面を参照しながら詳細に説明する。
【００１２】
図１は、本発明を適用した監視用カメラシステム１を示した図である。
【００１３】
監視用カメラシステム１は、図１に示すように、カメラモジュール２と、監視室モジュール３と、通信用ケーブル４から構成される。
【００１４】
図２は、カメラモジュール２を示した図である。
【００１５】
カメラモジュール２は、監視用カメラブロック１０と、監視用カメラを収容する輸送用コンテナ１１と、昇降装置１２とを備えている。
【００１６】
輸送用コンテナ１１は、監視用カメラブロック１０と昇降装置１２とを収容する中空の箱体であり、図１に示すように直方体である。輸送用コンテナ１１の寸法は、例えば縦２４４０ｍｍ，横３１８０ｍｍ，幅２２４０ｍｍである。この寸法は、鉄道、航空、船舶等の輸送手段で用いられている代表的なものである。輸送用コンテナ１１は、金属製なので、監視用カメラを収容することや輸送時の衝撃等に対して十分な耐久性をもつ。
【００１７】
なお、輸送用コンテナ１１は、上述する形状、及び、寸法に限らず、所望する輸送手段に応じて適切なものを選択するようにしてもよい。
【００１８】
監視用カメラブロック１０は、可視光広角カメラ１３と、可視光動画像カメラ１４と、赤外光広角カメラ１５と、赤外光動画像カメラ１６とを備えている。可視光広角カメラ１３は、日中の監視活動時に使用するため、可視光を撮像し、広範囲を同時に撮像することが可能である。可視光動画像カメラ１４は、日中の監視活動時に使用するため、可視光を撮像し、可視光広角カメラ１３に比べて撮像範囲が狭いが、被写体を拡大して撮像することが可能である。赤外光広角カメラ１５は、夜間の監視活動時に使用するため、赤外光を撮像し、広範囲を同時に撮像することが可能である。赤外光動画像カメラ１６は、夜間の監視活動時に使用するため、赤外光を撮像し、赤外光広角カメラ１５に比べて撮像範囲が狭いが、被写体を拡大して撮像することが可能である。
【００１９】
なお、監視用カメラブロック１０は、可視光広角カメラ１３と、可視光動画像カメラ１４と、赤外光広角カメラ１５と、赤外光動画像カメラ１６との併用に限らず、所望とする状況に応じて、監視活動が可能なカメラを選択するようにしてもよい。
【００２０】
昇降装置１２は、監視用カメラブロック１０を支持するのに、充分な剛性をもつ金属製である。また、昇降装置１２は、伸び縮み可能な柱状体である。昇降装置１２の上端には、監視用カメラブロック１０を支持する金属製の支持台１７が取り付けられている。支持台１７は、監視用カメラブロック１０と固定されている。同様に、昇降装置１２の下端は、輸送用コンテナ１１の内側の底面と固定されている。また、昇降装置が縮んでいる状態で、監視用カメラブロック１０は、輸送用コンテナ１１内に収まる。
【００２１】
なお、昇降装置１２の下端と輸送用コンテナ１１との固定方法、及び、昇降装置１２の下端と支持台１７との固定方法は、所望する状況に応じて十分な支持性を有する方法を選択する。また、昇降装置１２における形状は、柱状体に限らず、十分な剛性を得られていれば、その他の形状を用いるようにしてもよい。
【００２２】
輸送用コンテナ１１は、その上面に開閉可能な扉１８を設けている。開閉可能な扉１８の開口部は、輸送用コンテナ１１の内部に収容されている監視用カメラブロック１０が、輸送用コンテナ１１の外部に移動可能な大きさを有する。
【００２３】
輸送用コンテナ１１に設けられているカメラモジュール外部接続端子１９は、カメラモジュール２の動作に必要となる電源供給用のケーブルや監視室モジュール２と通信を行う通信用ケーブル４を接続するものである。
【００２４】
なお、カメラモジュール２の内部に電源装置を設ける場合や撮像された画像データを送信する必要がない場合もあり、カメラモジュール外部接続端子１９は、所望する状況に応じて選択すればよい。
【００２５】
図３は、監視活動時におけるカメラモジュール２を示した図である。
【００２６】
昇降装置１２の伸縮部材が伸びることにより、昇降装置１２に支持される監視用カメラブロック１０は、開閉可能な扉１８の開口部から輸送用コンテナ１１の外部へ上昇し、所望する監視位置で固定される。つまり、昇降装置１２の伸縮部材が伸びることによって、カメラブロック１０は、輸送用コンテナ１１の底面に対して例えば最大６．０ｍの高さまで上昇するので、広範囲を監視することができる。さらに、監視用カメラブロック１０の底面を支持する支持台１７には金属製のワイヤ２０が設けられており、ワイヤ２０の上端は支持台１７に結ばれ、ワイヤ２０の下端は輸送用コンテナ１１が置かれる接地面の延長線上に結ぶことにより、監視用カメラの監視位置での支持性が向上する。
【００２７】
なお、昇降装置１２の伸縮部材が伸びることにより、監視用カメラブロック１０は、輸送用コンテナ１１の底面に対して例えば最大６．０ｍの高さまで上昇することを想定しているが、所望する状況に応じた伸縮能力を有する部材や方法を選択するようにしてもよい。また、監視用カメラブロック１０を上昇した状況において、ワイヤ２０を使用しなくても十分な支持性を得られていれば、ワイヤ２０を使用しなくてもかまわない。
【００２８】
図４は、監視室モジュール３を示した図である。
【００２９】
監視室モジュール３は、広角モニタ３０と、動画像モニタ３１と、解析用モニタ３２と、コンピュータ３３と輸送用コンテナ３４とを備える。輸送用コンテナ３４は、広角モニタ３０と、動画像モニタ３１と、解析用モニタ３２と、コンピュータ３３とを収容している。また、輸送用コンテナ３４は、中空であり、図１に示すように直方体である。輸送用コンテナ３４の寸法は、例えば縦２４４０ｍｍ，横３１８０ｍｍ，幅２２４０ｍｍである。この寸法は、鉄道、航空、船舶等の輸送手段で用いられている代表的なものである。輸送用コンテナ３４は金属製であり、輸送時の衝撃等に対して十分な耐久性をもつ。
【００３０】
なお、輸送用コンテナ３４は、上述する形状、及び、寸法に限らず、所望する輸送手段に応じて、適切なものを選択するようにしてもよい。
【００３１】
広角モニタ３０は、カメラモジュール２の監視用カメラブロック１０に設けられた可視光広角カメラ１３や赤外光広角カメラ１５で撮像された画像データ等を表示する。同様に、動画像モニタ３１は、カメラモジュール２の監視用カメラブロック１０に設けられた可視光動画像カメラ１４や赤外光動画像カメラ１５で撮像された画像データ等を表示する。解析用モニタ３２は、上述した画像データをコンピュータ３３で画像処理等の解析処理を行い、その解析結果を表示する。
【００３２】
輸送用コンテナ３４に設けられている監視室モジュール外部端子３５は、通信用ケーブル４を介して、カメラモジュール外部端子１９と接続する。カメラモジュール２は、監視用カメラブロック１０で撮像した画像データ等を監視室モジュール３へ送信する。監視室モジュール３は、カメラモジュール２へ指令データ等を送信する。また、監視用モジュール外部端子３５は、広角モニタ３０と、動画像モニタ３１と、解析用モニタ３２と、コンピュータ３４との動作に必要となる電源供給用のケーブルを接続することができる。
【００３３】
監視室モジュール３は、図５に示すように、縦２４４０ｍｍ，横３１８０ｍｍ，幅２２４０ｍｍの輸送用コンテナ３４なので、人間が画像データ解析を行うための作業空間を確保することができる。
【００３４】
なお、カメラモジュール２が備える監視用カメラブロック１０で得られた画像データを、監視室モジュール３以外の所望とする監視室に無線通信等で送信する場合もあるので、監視室モジュールは、所望する使用形態に応じて使用しなくてもかまわない。また、監視用カメラブロック１０から得られた画像データを単に広角モニタ３０や動画像モニタ３１で監視する場合もあるので、解析用モニタ３２とコンピュータ３３は、所望する使用形態に応じて使用しなくてもかまわない。
【００３５】
次に、本発明を適応した監視用カメラシステム１を輸送する具体例を示す。
【００３６】
カメラモジュール２は、図６に示すように、カメラモジュール２を支持するのに十分な剛性をもつ金属性の台車５に支持される。さらに、台車５は輸送手段である自動車６で牽引することが可能である。同様に、監視室モジュール２も、台車５に支持され、輸送手段である自動車６で牽引することが可能である。
【００３７】
以上のように、監視活動に必要な機材を、予め輸送用コンテナ１１、及び、輸送用コンテナ３５に収容することにより、自動車６を含め様々な輸送手段で容易に輸送することができる。さらに、監視活動に必要な機材を所望とする監視位置で組み立てることに比べて、監視用カメラブロック１０は、予めカメラモジュール２の内部で昇降装置１２に支持されており、さらに昇降装置１２の伸縮部材が伸びることにより輸送用コンテナ１１の外部の所望とする監視位置に固定することができるので、容易に監視活動を行うことができる。
【００３８】
なお、本発明は上述した実施の形態のみに限定されるものではなく、本発明の要旨を逸脱しない範囲において種々の変更が可能であることは勿論である。
【図面の簡単な説明】
【００３９】
【図１】本発明を適用した監視用カメラシステムを示す図である。
【図２】本発明を適用したカメラモジュールを示す図である。
【図３】本発明を適用したカメラモジュールの監視活動時を示す図である。
【図４】本発明を適用した監視室モジュールを示す図である。
【図５】本発明を適用した監視室モジュールを示す図である。
【図６】本発明を適用したカメラモジュールの輸送状態を示す図である。
【符号の説明】
【００４０】
１  監視用カメラシステム，２  カメラモジュール，３  監視室モジュール，４  通信用ケーブル，５  台車，６  自動車，１０  監視用カメラブロック，１１  輸送用コンテナ，１２  昇降装置，１３  可視光広角カメラ，１４  可視光動画像カメラ，１５  赤外光広角カメラ，１６  赤外光動画像カメラ，１７  支持台，１８  開閉可能な扉，１９  カメラモジュール外部接続端子，２０  ワイヤ，３０  広角モニタ，３１  動画像モニタ，３２  解析用モニタ，３３  コンピュータ，３４  輸送用コンテナ，３５  監視室モジュール外部端子
【図１】
2006319675.tif 000003
【図２】
2006319675.tif 000004
【図３】
2006319675.tif 000005
【図４】
2006319675.tif 000006
【図５】
2006319675.tif 000007
【図６】
2006319675.tif 000008